(57)【要約】【課題】複数のＦＡＸ回線を有する１台のファクシミリ装置を異なる組織や部門などで共用する場合に、受信データのセキュリティを確保することができるファクシミリ装置を提供する。【解決手段】外部記憶装置３２０〜３２２を接続するための１個または複数個の接続手段２０〜２２と、複数の異なるファクシミリ回線Ａ〜Ｃを有する通信手段３０２と、データを受信したファクシミリ回線を特定する回線特定手段３１１ｃと、前記外部記憶装置が前記接続手段へ接続されていることを検出する検出手段３１１ａと、前記回線特定手段により特定されたファクシミリ回線が所定の回線であり、かつ外部記憶装置の接続が検出された場合には、前記所定のファクシミリ回線で受信したデータを前記接続手段に接続されている外部記憶装置に記憶させる制御手段３１１を備えている。【選択図】  図７
2006229451.tif 000002
【特許請求の範囲】
【請求項１】
外部記憶装置を接続するための１個または複数個の接続手段と、
複数の異なるファクシミリ回線を有する通信手段と、
データを受信したファクシミリ回線を特定する回線特定手段と、
前記外部記憶装置が前記接続手段へ接続されていることを検出する検出手段と、
前記回線特定手段により特定されたファクシミリ回線が所定の回線であり、かつ前記検出手段により外部記憶装置の接続が検出された場合には、前記所定のファクシミリ回線で受信したデータを前記接続手段に接続されている外部記憶装置に記憶させる制御手段と、
を備えたことを特徴とするファクシミリ装置。
【請求項２】
前記接続手段が複数個有り、これらの接続手段のうち所定の接続手段に外部記憶装置が接続されている場合に、前記制御手段は受信したデータを外部記憶装置に記憶させる請求項１に記載のファクシミリ装置。
【請求項３】
複数個の外部記憶装置を接続するための複数個の接続手段と、
複数の異なるファクシミリ回線を有する通信手段と、
データを受信したファクシミリ回線を特定する回線特定手段と、
前記各外部記憶装置が前記各接続手段へ接続されていることを検出する検出手段と、
前記各回線と各外部記憶装置との関連付情報を記憶する記憶手段と、
前記回線特定手段によりデータを受信したファクシミリ回線に対して前記関連付情報に基づいて関連付けられた外部記憶装置の接続が、前記検出手段により検出された場合には、前記受信したデータを前記関連付けられた外部記憶装置に記憶させる制御手段と、
を備えたことを特徴とするファクシミリ装置。
【請求項４】
前記通信手段は親展ファクシミリの受信が可能であり、かつ、
受信した親展ファクシミリのデータに添付されている識別情報を検出する第１の識別情報検出手段と、
前記接続手段に接続されている外部記憶装置の識別情報を検出する第２の識別情報検出手段と、
前記第１、第２の識別情報検出手段によって検出された２つの識別情報の適合性を判断する判断手段と、
を備え、
前記制御手段は、前記２つの識別情報が適合していると判断された場合にのみ、受信したデータを前記外部記憶装置に記憶させる請求項１〜３のいずれかに記載のファクシミリ装置。
【請求項５】
前記２つの識別情報が適合していないと判断された場合にその旨を表示する表示手段を備えている請求項４に記載のファクシミリ装置。
【請求項６】
ユーザによって入力された識別情報と前記受信データを記憶した外部記憶装置の識別情報とが適合するか否かを判断する判断手段を備え、
前記制御手段は、前記判断手段により識別情報が適合していると判断された場合には、前記外部記憶装置に記憶された前記受信データを出力する請求項１〜５のいずれかに記載のファクシミリ装置。
【請求項７】
複数の異なるファクシミリ回線の中のいずれの回線でデータを受信したかを特定するステップと、
外部記憶装置が１個または複数個の接続手段へ接続されていることを検出するステップと、
前記特定されたファクシミリ回線が所定の回線であり、かつ前記外部記憶装置の接続手段への接続が検出された場合には、前記所定のファクシミリ回線で受信したデータを前記接続されている外部記憶装置に記憶させる制御ステップと、
を備えたことを特徴とするファクシミリ装置における受信データ処理方法。
【請求項８】
前記接続手段が複数個有り、これらの接続手段のうち所定の接続手段に外部記憶装置が接続されている場合に、前記受信したデータを外部記憶装置に記憶させる請求項８に記載のファクシミリ装置における受信データ処理方法。
【請求項９】
複数の異なるファクシミリ回線の中のいずれの回線でデータを受信したかを特定するステップと、
複数個の外部記憶装置のそれぞれが複数個の接続手段へ接続されていることを検出するステップと、
前記各ファクシミリ回線と各外部記憶装置とを関連付情報に基づいて関連付けるステップと、
前記データを受信したファクシミリ回線に対して関連付けられた外部記憶装置の接続が、前記検出ステップで検出された場合には、前記受信したデータを前記関連付けられた外部記憶装置に記憶させるステップと、
を備えたことを特徴とするファクシミリ装置における受信データ処理方法。
【請求項１０】
受信したデータが親展ファクシミリのデータであり、かつ、
受信した親展ファクシミリのデータに添付されている識別情報を検出するステップと、
前記接続手段に接続されている外部記憶装置の識別情報を検出するステップと、
前記検出された２つの識別情報の適合性を判断するステップと、
を備え、
前記制御ステップでは、前記２つの識別情報が適合していると判断された場合にのみ、受信したデータを前記外部記憶装置に記憶させる請求項７〜９のいずれかに記載のファクシミリ装置における受信データの処理方法。
【請求項１１】
前記２つの識別情報が適合していないと判断された場合にその旨を表示する表示手段を備えている請求項１０に記載のファクシミリ装置。
【請求項１２】
ユーザによって入力された識別情報と前記受信データを記憶した外部記憶装置の識別情報とが適合するか否かを判断するステップと、
前記識別情報が適合していると判断された場合には、前記外部記憶装置に記憶された前記受信データを出力するステップを備えている請求項７〜１１のいずれかに記載のファクシミリ装置における受信データ処理方法。
【発明の詳細な説明】
【技術分野】
【０００１】
この発明は、複数の異なるファクシミリ回線を備えたファクシミリ装置及び該ファクシミリ装置における受信データ処理方法に関する。
【背景技術】
【０００２】
異なる組織や部門で１つのファクシミリ装置を共用する場合、データの送受信を行うファクシミリ回線として、各組織や部門毎に異なる回線を設けることが行われる場合がある。
【０００３】
ところが、この場合、受信したデータがそのまま印字出力されると、他の組織や部門に属するユーザがこれを見ることができ、セキュリティの点で問題があった。
【０００４】
また、親展受信機能を有するファクシミリを用いることにより、セキュリティの確保は可能であるが、データを全て親展扱いで送信してもらうのは困難であり現実的でない。
【０００５】
なお、特許文献１には、メモリカードに記憶された利用者を特定する情報を読み取り、その結果に従って前記メモリカードに記憶されたデータの出力を行うファクシミリ装置が提案されている。
【０００６】
また、特許文献２には、着脱可能な外部記憶装置を取り外した場合には、送信動作および受信動作を停止して、その旨を表示し、また外部記憶装置を取り外した場合に、読み取った画像情報を着脱可能な外部記憶装置に記憶させずに直接送信し、さらに、外部記憶装置に受信画像情報または送信画像情報を蓄積したまま取り外し、再度装着した場合には、その画像情報を読み出してハ−ドコピ−として出力するか、送信するかのいずれかを実行するファクシミリ装置が提案されている。
【特許文献１】特開平７−２３１６６号公報
【特許文献２】特開平５−３３６３２０号公報
【発明の開示】
【発明が解決しようとする課題】
【０００７】
しかしながら、前記各特許文献には、複数のファクシミリ回線を有する１台のファクシミリ装置を異なる組織や部門などで共用する場合において、受信データを他の組織や部門のユーザに見られないようにしてセキュリティを確保する点については、何らの開示もなされていない。
【０００８】
この発明は、このような実情に鑑みてなされたものであって、複数のファクシミリ回線を有する１台のファクシミリ装置を異なる組織や部門などで共用する場合に、受信データのセキュリティを確保することができるファクシミリ装置の提供を目的とする。
【課題を解決するための手段】
【０００９】
上記目的は、下記の手段によって達成される。
（１）外部記憶装置を接続するための１個または複数個の接続手段と、複数の異なるファクシミリ回線を有する通信手段と、データを受信したファクシミリ回線を特定する回線特定手段と、前記外部記憶装置が前記接続手段へ接続されていることを検出する検出手段と、前記回線特定手段により特定されたファクシミリ回線が所定の回線であり、かつ前記検出手段により外部記憶装置の接続が検出された場合には、前記所定のファクシミリ回線で受信したデータを前記接続手段に接続されている外部記憶装置に記憶させる制御手段と、を備えたことを特徴とするファクシミリ装置。
（２）前記接続手段が複数個有り、これらの接続手段のうち所定の接続手段に外部記憶装置が接続されている場合に、前記制御手段は受信したデータを外部記憶装置に記憶させる前項１に記載のファクシミリ装置。
（３）複数個の外部記憶装置を接続するための複数個の接続手段と、複数の異なるファクシミリ回線を有する通信手段と、データを受信したファクシミリ回線を特定する回線特定手段と、前記各外部記憶装置が前記各接続手段へ接続されていることを検出する検出手段と、前記各ファクシミリ回線と各外部記憶装置との関連付情報を記憶する記憶手段と、前記回線特定手段によりデータを受信したファクシミリ回線に対して前記関連付情報に基づいて関連付けられた外部記憶装置の接続が、前記検出手段により検出された場合には、前記受信したデータを前記関連付けられた外部記憶装置に記憶させる制御手段と、を備えたことを特徴とするファクシミリ装置。
（４）前記通信手段は親展ファクシミリの受信が可能であり、かつ、受信した親展ファクシミリのデータに添付されている識別情報を検出する第１の識別情報検出手段と、前記接続手段に接続されている外部記憶装置の識別情報を検出する第２の識別情報検出手段と、前記第１、第２の識別情報検出手段によって検出された２つの識別情報の適合性を判断する判断手段と、を備え、前記制御手段は、前記２つの識別情報が適合していると判断された場合にのみ、受信したデータを前記外部記憶装置に記憶させる前項１〜３のいずれかに記載のファクシミリ装置。
（５）前記２つの識別情報が適合していないと判断された場合にその旨を表示する表示手段を備えている前項４に記載のファクシミリ装置。
（６）ユーザによって入力された識別情報と前記受信データを記憶した外部記憶装置の識別情報とが適合するか否かを判断する判断手段を備え、前記制御手段は、前記判断手段により識別情報が適合していると判断された場合には、前記外部記憶装置に記憶された前記受信データを出力する前項１〜５のいずれかに記載のファクシミリ装置。
（７）複数の異なるファクシミリ回線の中のいずれの回線でデータを受信したかを特定するステップと、外部記憶装置が１個または複数個の接続手段へ接続されていることを検出するステップと、前記特定されたファクシミリ回線が所定の回線であり、かつ前記外部記憶装置の接続手段への接続が検出された場合には、前記所定のファクシミリ回線で受信したデータを前記接続されている外部記憶装置に記憶させる制御ステップと、を備えたことを特徴とするファクシミリ装置における受信データ処理方法。
（８）前記接続手段が複数個有り、これらの接続手段のうち所定の接続手段に外部記憶装置が接続されている場合に、前記受信したデータを外部記憶装置に記憶させる前項８に記載のファクシミリ装置における受信データ処理方法。
（９）複数の異なるファクシミリ回線の中のいずれの回線でデータを受信したかを特定するステップと、複数個の外部記憶装置のそれぞれが複数個の接続手段へ接続されていることを検出するステップと、前記各ファクシミリ回線と各外部記憶装置とを関連付情報に基づいて関連付けるステップと、前記データを受信したファクシミリ回線に対して関連付けられた外部記憶装置の接続が、前記検出ステップで検出された場合には、前記受信したデータを前記関連付けられた外部記憶装置に記憶させるステップと、を備えたことを特徴とするファクシミリ装置における受信データ処理方法。
（１０）受信したデータが親展ファクシミリのデータであり、かつ、受信した親展ファクシミリのデータに添付されている識別情報を検出するステップと、前記接続手段に接続されている外部記憶装置の識別情報を検出するステップと、前記検出された２つの識別情報の適合性を判断するステップと、を備え、前記制御ステップでは、前記２つの識別情報が適合していると判断された場合にのみ、受信したデータを前記外部記憶装置に記憶させる請求項７〜９のいずれかに記載のファクシミリ装置における受信データの処理方法。
（１１）前記２つの識別情報が適合していないと判断された場合にその旨を表示する表示手段を備えている前項１０に記載のファクシミリ装置。
（１２）ユーザによって入力された識別情報と前記受信データを記憶した外部記憶装置の識別情報とが適合するか否かを判断するステップと、前記識別情報が適合していると判断された場合には、前記外部記憶装置に記憶された前記受信データを出力するステップを備えている前項７〜１１のいずれかに記載のファクシミリ装置における受信データ処理方法。
【発明の効果】
【００１０】
前項（１）に記載の発明によれば、特定のファクシミリ回線で受信したファクシミリのデータは、接続手段に接続された外部記憶装置に記憶されるから、前記回線で受信したデータの内容が自動的に出力されて第三者に見られてしまう不都合を解消でき、セキュリティを向上した使い勝手の良いファクシミリ装置となる。
【００１１】
前項（２）に記載の発明によれば、複数個の接続手段のうちの所定の接続手段に記憶された外部記憶装置に、受信データを記憶させることができる。
【００１２】
前項（３）に記載の発明によれば、複数個の接続手段に接続された各外部記憶装置に、異なるファクシミリ回線で受信したデータを記憶させることができるから、複数回線のそれぞれについて、受信データの内容が第三者に見られてしまう不都合を解消できる。
【００１３】
前項（４）に記載の発明によれば、親展ファクシミリのデータに添付されている識別情報と外部記憶装置の識別情報とが適合する場合にのみ、親展ファクシミリのデータが前記外部記憶装置に記憶されるから、親展ファクシミリのデータを宛先に対応する適正な外部記憶装置に確実に記憶させることができる。
【００１４】
前項（５）に記載の発明によれば、親展ファクシミリのデータに添付されている識別情報と外部記憶装置の識別情報とが適合しない場合には、その旨が表示手段に表示されるから、ユーザは外部記憶装置が対応するものでないことを認識することができる。
【００１５】
前項（６）に記載の発明によれば、ユーザによって入力された識別情報と外部記憶装置の識別情報が適合していると判断された場合に、外部記憶装置に記憶された受信データを出力するから、適正なユーザのみが受信データの内容を知ることができる。
【００１６】
前項（７）に記載の発明によれば、特定のファクシミリ回線で受信したファクシミリのデータは、接続手段に接続された外部記憶装置に記憶されるから、前記回線で受信したデータの内容が自動的に出力されて第三者に見られてしまう不都合を解消でき、セキュリティを向上できる。
【００１７】
前項（８）に記載の発明によれば、複数個の接続手段のうちの所定の接続手段に記憶された外部記憶装置に、受信データを記憶させることができる。
【００１８】
前項（９）に記載の発明によれば、複数個の接続手段に接続された各外部記憶装置に、異なるファクシミリ回線で受信したデータを記憶させることができるから、複数回線のそれぞれについて、受信データの内容が第三者に見られてしまう不都合を解消できる。
【００１９】
前項（１０）に記載の発明によれば、親展ファクシミリのデータに添付されている識別情報と外部記憶装置の識別情報とが適合する場合にのみ、親展ファクシミリのデータが前記外部記憶装置に記憶されるから、親展ファクシミリのデータを宛先に対応する適正な外部記憶装置に確実に記憶させることができる。
【００２０】
前項（１１）に記載の発明によれば、親展ファクシミリのデータに添付されている識別情報と外部記憶装置の識別情報とが適合しない場合には、その旨が表示されるから、ユーザは外部記憶装置が対応するものでないことを認識することができる。
【００２１】
前項（１２）に記載の発明によれば、ユーザによって入力された識別情報と外部記憶装置の識別情報が適合していると判断された場合に、外部記憶装置に記憶された受信データを出力するから、適正なユーザのみが受信データの内容を知ることができる。
【発明を実施するための最良の形態】
【００２２】
以下、この発明の一実施形態を図面に基づいて説明する。
〔ＭＦＰ全体構成〕
図１は、この発明の一実施形態に係る記憶情報処理装置が適用された画像形成装置としてのＭＦＰを示す斜視図である。
【００２３】
図１において、ＭＦＰ１は、コピー機能、プリント機能、ファクシミリ機能、スキャナ機能等を有するデジタル複合機であり、ネットワークＮＷ（図２）を介してユーザ端末等との間でデータの送受信が可能である。なお、以下の説明において、ファクシミリをＦＡＸともいう。
【００２４】
ＭＦＰ１は、複数（この実施形態では３個）のＵＳＢ（Universal Serial Bus）規格の外部機器を着脱可能な接続手段としての第１〜第３の３個の差込口２０，２１，２２を有しており、この差込口２０，２１，２２にＵＳＢインターフェイスを有する外部機器、例えば外部記憶装置であるＵＳＢメモリ３２０，３２１，３２２（図３）を接続することにより、外部機器とＭＦＰ１の間で、双方のデータ送受信が可能となされている。以下、差込口２０，２１，２２をＵＳＢ差込口あるいはＵＳＢコネクタという。
【００２５】
ＭＦＰ１は操作パネル１０を備えており、この操作パネル１０は、複数のキー１１ａと、当該キー１１ａに対するユーザの操作による各種の指示や、文字、数字などのデータの入力を受付ける操作部１１と、ユーザに対する指示メニューや取得した画像に関する情報などの表示を行なう液晶等からなるディスプレイ１２を有している。
【００２６】
また、ＭＦＰ１は、原稿を光学的に読取って画像データを得るスキャナ部１３と、画像データに基づいて記録シート上に画像を印刷するプリンタ部１４とを備えている。
【００２７】
またＭＦＰ１の本体上面には、原稿をスキャナ部１３に送るフィーダ部１７が、下部にはプリンタ部１４に記録シートを供給する給紙部１８が、中央部にはプリンタ部１４によって画像を印刷された記録シートが排出されるトレイ１９がそれぞれ配備されている。さらにＭＦＰ１の本体の内部には、ネットワークＮＷを介して外部機器との間で画像データなどの送受信を行なう通信部１６、および画像データなどを記憶する記憶部３１２などが備えられている。
【００２８】
なお、ＭＦＰ１は、ネットワーク・インターフェイスを有し、前記通信部１６は外部機器との間で各種データの送受信が可能なように、前記ネットワーク・インターフェイスを介してネットワークＮＷに接続されている。
【００２９】
前記ディスプレイ１２は、データ送信の宛先の一覧表示を含む種々の表示に使用される。また、前記操作部１１は、ユーザによる送信先の選択を含む種々の入力に用いられるものである。これらがユーザインターフェイスの要部として機能する。
【００３０】
前記スキャナ部１３は、写真、文字、絵などの画像情報を原稿から光電的に読取って画像データを取得する。取得された画像データ（濃度データ）は、図示しない画像処理部においてデジタルデータに変換され、周知の各種画像処理を施された後、プリンタ部１４や通信部１６に送られ、画像の印刷やデータの送信に供されるか、または、後の利用のために記憶部２３に格納される。
【００３１】
前記プリンタ部１４は、スキャナ部１３により取得された画像データ、通信部１６により外部機器から受信した画像データ、または記憶部２３に格納されている画像データに基づいて記録シート上に画像を印刷するものである。
【００３２】
前記通信部１６は、公衆電話回線を介してＦＡＸデータの送受信を行なう他、ＬＡＮ、インターネットなどのネットワークＮＷを介して、該ネットワークＮＷに接続される外部機器との間で電子メールなどを用いてデータの送受信を行なう。
【００３３】
これにより、ＭＦＰ１は、通常のＦＡＸ通信を行なうＦＡＸ装置としての機能のみならず、電子メールの送受信端末としての機能も有する。したがって、電子メールの添付ファイルとして、各種画像データを送受信することもできる。なお、ＭＦＰ１が行なうネットワーク通信は有線でもよく無線でもよいが、図示の例では有線による通信方式が採用されている。
〔ネットワークの概要〕
図２は、この発明の一実施形態を説明するためのネットワーク接続例を示すものである。
【００３４】
図２において、ネットワークＮＷは、ジョブとしての印字処理を要求する複数台の外部機器（端末）としてのパーソナルコンピュータ（以下ＰＣともいう）２（２Ａ，２Ｂ・・・）と、  このジョブを実行する複数台のＭＦＰ１（１Ａ，１Ｂ，１Ｃ・・・）によって構成されている。ここで、各ＭＦＰ１は、マルチジョブ機能を有するものとする。
【００３５】
マルチジョブ機能とは、デジタル化された画像データを用いて画像形成を行うデジタル複写機やプリンタ等の画像形成装置において、イメージリーダ等を用いて読み取った画像データをデジタル処理して画像形成に用いるものや、画像形成装置に接続された前記ＰＣ２等の外部端末から送信されてきた画像データを用いて画像形成を行うことができる機能である。また、画像形成を行いながら画像データの取得を行うことができる機能もマルチジョブ機能の一環である。
【００３６】
マルチジョブ機能を備える画像形成装置では、イメージリーダにより読み取られた一塊の原稿から得られた画像データを用いた画像形成や、ＰＣから送信された画像データを用いた画像形成を、それぞれ一つのジョブとして取り扱い、ジョブ単位で順次画像形成を行っていく。
【００３７】
すなわち、原稿を読み取って得た画像データや、ＰＣから送信された画像データは、それぞれのジョブの識別子（以下、「ジョブＩＤ」という。）と対応付けられて画像メモリに蓄積される一方、ジョブＩＤはそれぞれのジョブが画像形成装置に対して発行された順に所定の管理テーブルに登録されることになる。そして、テーブルに登録されたジョブＩＤの順に画像形成が行われる。
［ＭＦＰ１の電気的構成］
図３は、ＭＦＰ１の電気的構成を示すブロック図である。
【００３８】
図３において、このＭＦＰ１は、情報処理部３０１、ＦＡＸ部３０２、通信制御部３０３、給紙手段３０４、前記スキャナ部１３を構成する画像読み取り部３０５、前記プリンタ部１４を構成する画像形成手段３０６、およびフィニッシャ部３０７を有している。
【００３９】
前記ＦＡＸ部３０２，通信制御部３０３が通信部１６を構成する。この実施形態では、ＭＦＰ１は３個のＦＡＸ回線Ａ〜Ｃを備えており、各回線を介して親展ＦＡＸを含むＦＡＸデータの送受信が可能となっている。
【００４０】
情報処理部３０１は、情報処理手段の一例であり、データ入出力手段３０８、データ通信制御部３０９、操作部１１、制御装置３１１、記憶部３１２、画像メモリ３１３およびディスプレイ１２を有している。情報処理部３０１では画像メモリ３１３に格納されたジョブの削除、出力等の制御が行えるようになっている。
【００４１】
前記制御装置３１１は、ＣＰＵ３１１１、ＲＡＭ３１１２等を有している。この前記制御装置３１１には、データ入出力手段３０８が接続され、ジョブを入出力する際に使用される。
【００４２】
この制御装置３１１は、プリント動作、コピー動作、スキャン動作、ＦＡＸ送信動作、メール送信動作、ＦＴＰ（ File Transfer Protocol）送信動作等、ＭＦＰ１の全体を統括的に制御するほか、この実施形態では以下の機能を有している。
【００４３】
すなわち、ＵＳＢメモリ３２０（３２１）（３２２）がＵＳＢ差込口２０（２１）（２２）に接続されている（装着されている）ことを検知する検知部３１１ａとして機能する。
【００４４】
また、送信されてきたＦＡＸデータをＡ〜Ｃのうちのどのファクシミリ回線で受信したかを判別特定する回線特定部３１１ｂとして機能する。
【００４５】
また、親展ＦＡＸが送信されてきたときに、親展ＦＡＸのデータに添付されている識別情報としての暗証番号を検出したり、ＵＳＢ差込口２０〜２２に接続されているＵＳＢメモリ３２０〜３２２に書き込まれている識別情報（ＩＤ）を検出したり、あるいはＵＳＢメモリ３２０〜３２２に記憶されたＦＡＸデータを印字するためにユーザが入力した識別情報としての暗証番号等を検出する識別情報検出部３３１ｃとして機能する。
【００４６】
また、識別情報検出部３３１ｃで検出された親展ＦＡＸのデータの暗証番号とＵＳＢメモリの識別情報が適合しているか否かや、ユーザが入力した暗証番号とＵＳＢメモリの識別情報が適合しているか否かを判断したり、ＦＡＸ部３０２で受信したＦＡＸが親展ＦＡＸか通常ＦＡＸかを判断したり、その他の判断を行う判断部３１１ｄとして機能する。
【００４７】
また、判断部３１１ｂの判断結果等に基づいて、操作パネル１０のディスプレイ１２に、所定のメッセージを表示させる表示制御部３１１ｅとして機能する。
【００４８】
上記のような制御装置３１１による各機能の具体的な動作については後述する。
【００４９】
前記データ入出力手段３０８には、ＴＣＰ／ＩＰベースのネットワークのＬＡＮ（Local Aria Network)端子３１５、ＵＳＢ端子３１６、セントロニクス端子３１７、シリアルインタフェイス端子３１８および／またはＪＴＡＧ端子３１９等のインタフェイス（Ｉ／Ｆ）端子が複数設けられている。
【００５０】
前記データ入出力手段３０８では、ネットワーク端子３１５、ＵＳＢ端子３１６、セントロニクス端子３１７、シリアルインタフェイス端子３１８またはＵＴＡＧ端子３１９に接続された場合、制御装置３１１によりデータの読み出し、書き込み、削除ができるようになっている。
【００５１】
前記記憶部３１２は、例えばハードディスク等の不揮発メモリからなり、画像データ等を保存するための前述した専用記憶領域（ボックス）３１２０を有している。また、記憶部３１２には、ＦＡＸ回線Ａ〜ＣとＵＳＢ差込口２０〜２２に接続されるＵＳＢメモリ３２０〜３２２との対応関係を示す関連付情報が予め記憶されている。この点については後述する。
【００５２】
また、前記画像メモリ３１３においては、メモリ間でのコピーが可能である。
【００５３】
前記ＣＰＵ３１１１は、制御装置３１１を上述したような制御及び機能を発揮させるように動作させるためのものであり、ＣＰＵ３１１１が図示しないプログラム格納部に格納されたプログラムを実行することにより、制御装置３１１が動作する。前記ＲＡＭ３１１２はＣＰＵ３１１１がプログラムを実行する際の作業領域となるものである。
【００５４】
この実施形態では、前述したように、ＵＳＢ端子３１６として複数の差込口があり、それぞれにＵＳＢメモリ３２０，３２１，３２２を接続可能である。さらに、制御装置３１１はこれら複数のＵＳＢメモリ３２０，３２１，３２２に対する各記憶情報の読み込み、および各ＵＳＢメモリ３２０，３２１，３２２に対する情報の書き込みが同時に実行可能である。記憶情報の読み込みは制御装置３１１のデータ読み込み部３１１ｇにより行われ、情報の書き込みはデータ書き込み部３１１ｈにより行われる。
〔操作パネル〕
図４は、ＭＦＰ１における操作パネル１０の構成を示す平面図である。
【００５５】
図４において、スタートキー２０１は、コピー／プリント／ＦＡＸ送信／電子メール、ＦＴＰ送信等の動作を開始させるために用いられる。テンキー２０２は、コピー枚数等の数値を入力するために用いられる。クリアキー２０３は、入力された数値のクリア、および蓄積された画像記憶部の画像データを破棄するために用いられる。
【００５６】
ストップキー２０４は、コピー／スキャン動作の停止を指示するために用いられる。パネルリセットキー２０５は、設定されている操作モードおよびジョブを破棄するために用いられる。
【００５７】
また、ディスプレイ１２は、各種モードの表示やＵＳＢメモリ３２０、３２１、３２２の抜き忘れに対する警告表示やその他の表示を行い、表面にはタッチパネル２０６が取り付けられている。このタッチパネル２０６によって、ユーザはディスプレイ１２内の表示内容に従った各種設定を行うことができる。例えば、ディスプレイ１２にユーザの識別情報であるユーザＩＤの設定画面が表示された場合には、ユーザは前記操作部１１の各種キーやディスプレイ１２に表示されたタッチボタン等を用いてユーザＩＤを設定する。
【００５８】
前記タッチパネル２０６における設定画面領域２０７には、通常は、コピー動作やファックス送信動作を実行する際に行う基本的／応用的な設定のためのボタンが配置されている。各ボタンを挿下すると、その詳細設定を行うための階層画面が表示される。
【００５９】
タッチパネル２０６のジョブ情報画面領域２０８は、その時点でＭＦＰ１に投入されているジョブ情報が表示される。表示は、実行されるべきジョブの順序で並んでいる。特定のジョブに対して消去や変更等の操作を行う場合は、ジョブ操作ボタン２０９を選択した後、操作対象となるジョブ番号ボタンを押下する。それらの操作によってジョブ操作画面が表示され、特定のジョブに対する操作が可能となる。
【００６０】
コピーキー２１０、およびスキャンキー２１１はＭＦＰ１をコピー／スキャナの何れの操作モードで動作させるかを設定するための選択キーである。
【００６１】
コピーキー２１０を押下した場合、ＭＦＰ１はコピー機として使用可能となる。この状態では、スキャナ動作、およびファックス送信動作を実行することはできない。
【００６２】
この時、タッチパネル２０６の設定画面領域２０７には、コピー動作に対する各種設定を行うためのコピーモード表示が行われる。諸設定を終了後、原稿をセットしてスタートキー２０１を押下することにより、コピー動作が開始される。またスキャンキー２１１を押下した場合、ＭＦＰ１はスキャナ、およびＦＡＸとなる。この状態では、コピー動作を実行することはできない。
【００６３】
この時、タッチパネル２０６の設定画面領域２０７には、スキャン動作（スキャンした原稿の送信も含む）／ファックス送信に対する各種設定を行うための操作モード表示が行われる。諸設定を終了後、原稿をセットしてスタートキー２０１を押下することにより、スキャン動作／ファックス送信動作が開始される。
【００６４】
なお、コピーキー２１０とスキャンキー２１１は排他的動作となり、一方を選択すると自動的に他方は非選択状態となる。
【００６５】
また、ＰＣ２からＭＦＰ１を使用してプリントする場合、ＰＣ２にこのプリンタ制御用ドライバソフトをインストールし、プリントの際の各種設定はそのドライバ画面にて行う。従って、ＭＦＰ１の操作パネル１０上にプリント用設定画面、およびプリント切り換えキーは不要である。
〔操作パネル（ＵＳＢメモリ内のファイル選択）〕
図５は、ＭＦＰ１がＵＳＢメモリ３２０，３２１，３２２から画像データを読み込む場合のユーザ確認画面を示す図である。
【００６６】
図５において、ＭＦＰ１のＵＳＢ差込口２０（２１）（２２）にＵＳＢメモリ３２０（３２１）（３２２）が接続されており、ＵＳＢメモリ読み込みキー（ＵＳＢチョイスキーともいう）２２１を押下すると、設定画面領域２０７はＵＳＢメモリ読み込み確認画面の階層へ移行する。
【００６７】
この画面において、ＵＳＢメモリ３２０（３２１）（３２２）の内容を読み込む選択「Ｙｅｓ」を押下（タッチ）した場合、ＭＦＰ１は、ＵＳＢメモリ３２０（３２１）（３２２）にアクセスをし、ＵＳＢメモリ３２０（３２１）（３２２）の内容を読み込む処理を行う。
【００６８】
なお、２２３，２２５は、他のＵＳＢ差込口にＵＳＢメモリが装着された場合に操作が有効になる読み込みキーであり、２２０、２２２、２２４は前記読み込みキー２２１、２２３，２２５に対応して設けられた発光ダイオード（ＬＥＤ）である。
【００６９】
前記ＵＳＢメモリ３２０（３２１）（３２２）内に記憶情報（例えば画像データ）が存在した場合、パネル表示は、図６に示すように、メモリ内に存在する画像データを列挙し、ユーザが所望する画像データを選択可能にする。また、メモリ内に存在するデータがこの階層画面表示を越える個数の場合、「次頁」キーの押下により残りのデータが表示される。
【００７０】
この画面で「ＯＫ」が押下されると、ＭＦＰ１は指定されたファイルを読み込む処理を開始し、正常にデータが読み込まれるとＵＳＢメモリ読み込みキー２２１に対応するＬＥＤ２２０が点灯し、画像データがＵＳＢメモリ３２０（３２１）（３２２）より読み込まれた状態であることをユーザに通知する。
【００７１】
ユーザが所望の画像データを選択した後、スタートキー２０１を押下すると、コピー機能（コピーキー２１０）が選択されている場合、画像読み取り部による原稿台上の原稿を走査する制御は実施されず、ＵＳＢメモリ３２０（３２１）（３２２）から読み込まれ、ユーザによって選択された画像データが出力部へ出力される。
【００７２】
また、スキャンキー２１１が選択されている場合も、画像読み取り部による原稿台上の原稿を走査する制御は実施されず、ＵＳＢメモリ３２０（３２１）（３２２）から読み込まれ、ユーザによって選択された画像データが、設定された宛先へＦＡＸ送信され、あるいは電子メールやＦＴＰ送信等によりファイル送信される。
【００７３】
図６において、「キャンセル」が押下された場合、指定されたファイルの読み込みは行わず、前階層画面である図５に戻る。
【００７４】
また、図５において、ＵＳＢメモリ３２０（３２１）（３２２）の内容を読み込まない選択「Ｎｏ」を押下（タッチ）した場合は、ＵＳＢメモリ３２０（３２１（３２２）へのアクセスは行われず、ＵＳＢメモリ読み込みキー２２１に対応するＬＥＤ２２０は消灯した状態となる。この場合のコピー機能におけるスタートキー２０１の押下では、通常のコピーと同様、原稿の走査制御を行って、画像を読み取り、その読み取った画面が出力部に出力される。
［ＦＡＸ受信処理］
図７は、図１のＭＦＰ１において、所定の回線で受信した画像データをＵＳＢメモリ３２０に保存する処理を説明するための説明図である。
【００７５】
前述したように、このＭＦＰ１はＦＡＸ部３０２に複数の異なるＦＡＸ回線（ＦＡＸ番号）Ａ、Ｂ、Ｃを有している。また、制御装置３１１の回線特定部３１１ｂは、回線Ａ〜Ｃのうちどの回線でＦＡＸを受信したか判別する。ここで、この実施形態では、受信したＦＡＸ回線がＡであると判別された場合に、制御部３１１は、画像データを第１のＵＳＢ差込口２０に接続されたＵＳＢメモリ３２０に記憶して、直ちには印字を行わないように制御するものとなされている。
【００７６】
前記記憶部３１２には、ＦＡＸ回線Ａと第１のＵＳＢ差込口２０との対応関係、換言すればＦＡＸ回線Ａと第１のＵＳＢ差込口２０に接続されるＵＳＢメモリ３２０との対応関係を示す関連付情報が予め記憶されている。
【００７７】
ＦＡＸ回線Ａ以外の回線Ｂ、Ｃで受信した画像データについては、プリンタ部１４により印字を行うように制御される。画像データを受信したＦＡＸ回線がＡであり、ＵＳＢメモリ３２０に画像データが保存された場合は、表示制御部３１１ｅにより、ディスプレイ１２のジョブ情報画面領域２０８にその旨の表示が行われる。
【００７８】
ユーザがテンキー２０２により設定画面領域２０７に暗証番号等を入力すると、識別情報検出部３１１ｃが、入力された暗証番号とＵＳＢメモリ３２０の識別情報を検出し、両者の適合性が判断部３１１ｄにより判断される。
【００７９】
入力された暗証番号とＵＳＢメモリ３２０の識別情報の適合性が確認できたら、プリンタ部１４は記憶された画像データを印字する。これによりＦＡＸ回線Ａで受信した画像データは他の人に見られることなく、必要な人のみデータの入手が可能となる。
【００８０】
また、ＵＳＢメモリ３２０が第１のＵＳＢ差込口２０に接続されていない場合は、ＦＡＸ回線Ａで受信した画像データであってもプリンタ部１４によって通常の印字を行う。
【００８１】
図８に、制御装置３１１が行う上記受信データ保存処理のフローチャートを示す。なお、以下の説明及び図面において、ステップを「Ｓ」と略記する。
【００８２】
Ｓ１において、ＦＡＸ部３０２が画像データを受信したら、Ｓ２で回線特定部３１１ｂは受信したＦＡＸ回線を判別する。受信したＦＡＸ回線がＡ以外の場合は（Ｓ２の判断がＮＯ）、プリンタ部１４により印字して、処理を終了する。
【００８３】
受信したＦＡＸ回線がＡの場合は（Ｓ２の判断がＹＥＳ）、Ｓ３で、第１のＵＳＢ差込口２０にＵＳＢメモリ３２０が接続されているかどうかを判断する。
【００８４】
第１のＵＳＢ差込口２０にＵＳＢメモリ３２０が接続されていない場合は（Ｓ３の判断がＮＯ）、Ｓ２２で、受信した画像データをプリンタ部１４により印字して、処理を終了する。第１のＵＳＢ差込口２０にＵＳＢメモリ３２０が接続されている場合は（Ｓ３の判断がＹＥＳ）、Ｓ４で、ＵＳＢメモリ３２０に受信した画像データを保存し、Ｓ５で、データが保存されたことをジョブ情報画面領域２０８に表示する。
【００８５】
ユーザがテンキー２０２により設定画面領域２０７に、ＵＳＢメモリ３２０に保存された画像データを印字する為の暗証番号等を入力すると、Ｓ６で、入力された暗唱番号等とＵＳＢメモリ３２０に記憶されている識別情報とを照合し、適合していると、Ｓ７で、ユーザからの保存したデータの印字の指示を受付けたのち、Ｓ８で、指示された画像データをプリンタ部１４により印字して処理を終了する。
【００８６】
図９は、３個のＦＡＸ回線Ａ〜Ｃのそれぞれにおいて受信し画像データを、それぞれ対応する３個のＵＳＢメモリ３２０〜３２２に記憶する場合を示すものである。
【００８７】
前記記憶部３１２には、各ＦＡＸ回線Ａ〜Ｃと第１〜第３のＵＳＢ差込口２０〜２２との対応関係、換言すればＦＡＸ回線Ａ〜Ｃと第１〜第３のＵＳＢ差込口２０〜２２に接続されるＵＳＢメモリ３２０〜３２２との対応関係を示す関連付情報が予め記憶されている。
【００８８】
この実施形態では、ＦＡＸ回線Ａと第１のＵＳＢ差込口２０に接続されるＵＳＢメモリ３２０とが関連付けられ、ＦＡＸ回線Ｂと第２のＵＳＢ差込口２１に接続されるＵＳＢメモリ３２１とが関連付けられ、ＦＡＸ回線Ｃと第３のＵＳＢ差込口２２に接続されるＵＳＢメモリ３２２とが関連付けられている。従って、ＦＡＸ回線Ａで受信したデータは、第１のＵＳＢ差込口２０に接続されたＵＳＢメモリ３２０に記憶され、ＦＡＸ回線Ｂで受信したデータは、第２のＵＳＢ差込口２１に接続されたＵＳＢメモリ３２１に記憶され、ＦＡＸ回線Ｃで受信したデータは、第３のＵＳＢ差込口２２に接続されたＵＳＢメモリ３２２に記憶されるものとなされており、受信した画像データがプリンタ部１４によって直ちには印字されないように制御されている。
【００８９】
そして、画像データがいずれかのＵＳＢメモリに保存されると、ディスプレイ１２のジョブ情報画面領域２０８にその旨の表示が行われる。ユーザがテンキー２０２により設定画面領域２０７に、対応するＵＳＢメモリの暗証番号等を入力し、ＵＳＢメモリ３２０に適合することが確認できたら、プリンタ部１４は記憶された画像データを印字する。これにより各ＦＡＸ回線Ａ〜Ｃで受信した画像データは他の人に見られることなく、必要な人のみデータの入手が可能となる。
【００９０】
また、各ＵＳＢメモリ３２０〜３２２が各ＵＳＢ差込口２０〜２２に接続されていない場合は、接続されていないＵＳＢメモリに対応する回線で受信した画像データは、プリンタ部１４によって通常の印字を行う。
【００９１】
図１０に、制御装置３１１が行う上記図９に示した受信データ保存処理のフローチャートを示す。
【００９２】
Ｓ１１において、ＦＡＸ部３０２が画像データを受信したら、Ｓ１２で回線特定部は受信したＦＡＸ回線を判別する。受信したＦＡＸ回線がＡの場合は（Ｓ１２の判断がＡ）、Ｓ１３に進み、第１のＵＳＢ差込口２０にＵＳＢメモリ３２０が接続されているかどうかを判断する。
【００９３】
第１のＵＳＢ差込口２０にＵＳＢメモリ３２０が接続されていない場合は（Ｓ１３の判断がＮＯ）、Ｓ２２で、受信した画像データをプリンタ部１４により印字して、処理を終了する。第１のＵＳＢ差込口２０にＵＳＢメモリ３２０が接続されている場合は（Ｓ１３の判断がＹＥＳ）、Ｓ４で、ＵＳＢメモリ３２０に受信した画像データを保存したのち、Ｓ１９に進む。
【００９４】
前記Ｓ１２において、受信したＦＡＸ回線がＢの場合は（Ｓ１２の判断がＢ）、Ｓ１５に進み、第２のＵＳＢ差込口２１にＵＳＢメモリ３２１が接続されているかどうかを判断する。
【００９５】
第２のＵＳＢ差込口２１にＵＳＢメモリ３２１が接続されていない場合は（Ｓ１５の判断がＮＯ）、Ｓ２２で、受信した画像データをプリンタ部１４により印字して、処理を終了する。第２のＵＳＢ差込口２１にＵＳＢメモリ３２１が接続されている場合は（Ｓ１５の判断がＹＥＳ）、Ｓ１６で、ＵＳＢメモリ３２１に受信した画像データを保存したのち、Ｓ１９に進む。
【００９６】
前記Ｓ１２において、受信したＦＡＸ回線がＣの場合は（Ｓ１２の判断がＣ）、Ｓ１７に進み、第３のＵＳＢ差込口２２にＵＳＢメモリ３２２が接続されているかどうかを判断する。
【００９７】
第３のＵＳＢ差込口２２にＵＳＢメモリ３２２が接続されていない場合は（Ｓ１７の判断がＮＯ）、Ｓ２２で、受信した画像データをプリンタ部１４により印字して、処理を終了する。第３のＵＳＢ差込口２２にＵＳＢメモリ３２２が接続されている場合は（Ｓ１７の判断がＹＥＳ）、Ｓ１８で、ＵＳＢメモリ３２２に受信した画像データを保存したのち、Ｓ１９に進む。
【００９８】
Ｓ１９では、受信したデータが対応するＵＳＢメモリ３２０〜３２２に保存されたことをジョブ情報画面領域２０８に表示する。
【００９９】
ユーザがテンキー２０２により設定画面領域２０７に、ＵＳＢメモリ３２０〜３２２に保存された画像データを印字する為の暗証番号等を入力すると、Ｓ２０で、入力された暗唱番号等とＵＳＢメモリ３２０〜３２２に記憶されている識別情報とを照合し、適合していると、Ｓ２１で、ユーザからの保存したデータの印字の指示を受付けたのち、Ｓ２２で、指示された画像データをプリンタ部１４により印字して処理を終了する。
【０１００】
図１１は、３個のＦＡＸ回線Ａ〜Ｃのそれぞれにおいて親展ＦＡＸを受信し、その画像データを、それぞれ対応する３個のＵＳＢメモリ３２０〜３２２に記憶する場合を示すものである。
【０１０１】
前記記憶部３１２には、各ＦＡＸ回線Ａ〜Ｃと第１〜第３のＵＳＢ差込口２０〜２２との対応関係、換言すればＦＡＸ回線Ａ〜Ｃと第１〜第３のＵＳＢ差込口２０〜２２に接続されるＵＳＢメモリ３２０〜３２２との対応関係を示す関連付情報が予め記憶されている。
【０１０２】
この実施形態では、ＦＡＸ回線Ａと第１のＵＳＢ差込口２０に接続されるＵＳＢメモリ３２０とが関連付けられ、ＦＡＸ回線Ｂと第２のＵＳＢ差込口２１に接続されるＵＳＢメモリ３２１とが関連付けられ、ＦＡＸ回線Ｃと第３のＵＳＢ差込口２２に接続されるＵＳＢメモリ３２２とが関連付けられている。
【０１０３】
ここで、受信したＦＡＸ回線がＡの場合は、それが親展ＦＡＸか通常ＦＡＸかを判断し、親展ＦＡＸと判断した場合には、受信した画像データに添付された暗証番号を検出する。そして、検出した暗証番号が、親展ＦＡＸを受信した回線Ａに対応した第１のＵＳＢ差込口２０に接続されているＵＳＢメモリ３２０内の識別情報（ＩＤ）と適合するか否かを判断する。適合する場合には、受信した親展ＦＡＸの画像データがＵＳＢメモリ３２０に記憶されるものとなされており、受信した画像データがプリンタ部１４によって直ちには印字されないように制御されている。
【０１０４】
受信したＦＡＸ回線がＢあるいはＣの場合も同様に、受信した親展ＦＡＸの画像データが対応するＵＳＢメモリ３２１または３２２に記憶されるものとなされている。
【０１０５】
こうして、ＦＡＸ回線Ａ〜Ｃのいずれが受信した画像データであっても、親展ＦＡＸと判別された画像データはそれぞれ対応するＵＳＢメモリ３２０〜３２２に保存することができる。
【０１０６】
そして、親展ＦＡＸの画像データが対応するＵＳＢメモリに保存されると、ディスプレイ１２のジョブ情報画面領域２０８に、ＦＡＸ回線Ａ〜Ｃのいずれが受信した親展ＦＡＸの画像データであるかについての表示を行う。ユーザがテンキー２０２により設定画面領域２０７に、対応するＵＳＢメモリの識別情報等を入力し、ＵＳＢメモリ３２０に適合することが確認できたら、プリンタ部１４は記憶されている画像データを印字する。これにより各ＦＡＸ回線Ａ〜Ｃで受信した画像データは他の人に見られることなく、必要な人のみデータの入手が可能となる。
【０１０７】
ＵＳＢメモリ３２０〜３２２が接続されていない状態で、対応するＦＡＸ回線が親展ＦＡＸを受信した場合は、ディスプレイ１２のジョブ情報画面領域２０８に何れのＦＡＸ回線が受信した親展ＦＡＸの画像データであるか、また対応するＵＳＢメモリが接続されていないことを表示する。従って、対応するＵＳＢメモリ３２０〜３２２が接続されていない状態であっても、受信した画像データがプリンタ部１４によって直ちには印字されないようになっている。
【０１０８】
また、親展ＦＡＸより検出した暗証番号と、ＵＳＢメモリ内の識別情報について、適合と判断できなかった場合も、ディスプレイ１２のジョブ情報画面領域２０８に、何れのＦＡＸ回線が受信した親展ＦＡＸの画像データであるか、また対応するＵＳＢメモリの識別情報と親展ＦＡＸの暗証番号が適合しないことを表示して、受信した画像データが直ちに印字されないようになっている。
【０１０９】
受信した画像データが親展ＦＡＸではなく通常ＦＡＸであると判別した場合は、何れのＦＡＸ回線が受信した場合でも、受信した画像データをプリンタ部１４によって印字する。
【０１１０】
図１２に、制御装置３１１が行う上記図１１に示した親展ＦＡＸの場合の受信データ保存処理のフローチャートを示す。
【０１１１】
Ｓ３１において、ＦＡＸ部３０２が画像データを受信したら、Ｓ３２で回線特定部３１１ｂは受信したＦＡＸ回線を判別する。受信したＦＡＸ回線がＡの場合は（Ｓ３２の判断がＡ）、Ｓ３３に進み、受信したＦＡＸは親展ＦＡＸか通常ＦＡＸかを判断する。
【０１１２】
通常ＦＡＸであれば（Ｓ３３の判断がＮＯ）、Ｓ４２で、受信した画像データをプリンタ部１４により印字して、処理を終了する。親展ＦＡＸの場合には（Ｓ３３の判断がＹＥＳ）、Ｓ３４に進んで、第１のＵＳＢ差込口２０にＵＳＢメモリ３２０が接続されているか否かを判断する。
【０１１３】
第１のＵＳＢ差込口２０にＵＳＢメモリ３２０が接続されていない場合には（Ｓ３４の判断がＮＯ）、Ｓ３５で、印字を行うことなく、ディスプレイ１２のジョブ情報画面領域２０８に何れの回線が受信した親展ＦＡＸの画像データであるか、また対応するＵＳＢメモリが接続されていないことを表示して、処理を終了する。
【０１１４】
第１のＵＳＢ差込口２０にＵＳＢメモリ３２０が接続されている場合は（Ｓ３４の判断がＹＥＳ）、Ｓ３６で、受信データに添付されている暗証番号とＵＳＢメモリ３２０の識別情報（図面ではＩＤと記す）は適合しているか否かを判断する。
【０１１５】
適合していなければ（Ｓ３６の判断がＮＯ）、Ｓ３７で、画像データを印字することなく、ディスプレイ１２のジョブ情報画面領域２０８に、何れのＦＡＸ回線が受信した親展ＦＡＸの画像データであるか、また対応するＵＳＢメモリの識別情報と親展ＦＡＸの暗証番号が適合しないことを表示して、処理を終了する。
【０１１６】
受信データに添付された暗証番号とＵＳＢメモリ３２０の識別情報が適合している場合には（Ｓ３６の判断がＹＥＳ）、Ｓ３８で、ＵＳＢメモリ３２０に受信した画像データを保存したのち、受信したデータがＵＳＢメモリ３２０に保存されたことをジョブ情報画面領域２０８に表示する。
【０１１７】
ユーザがテンキー２０２により設定画面領域２０７に、ＵＳＢメモリ３２０に保存された画像データを印字する為の暗証番号等を入力すると、Ｓ２４０で、入力された暗唱番号等とＵＳＢメモリ３２０に記憶されている識別情報とを照合し、適合していると、Ｓ４１で、ユーザからの保存したデータの印字の指示を受付けたのち、Ｓ４２２で、指示された画像データをプリンタ部１４により印字して処理を終了する。
【０１１８】
Ｓ３２において、受信したＦＡＸ回線がＢまたはＣの場合には（Ｓ３２の判断がＢまたはＣ）、ＵＳＢメモリ３２０がＵＳＢメモリ３２１または３２２に代わる点を除いて、ＦＡＸ回線Ａについて示したＳ３３〜Ｓ４２の処理と同じであるので、詳細な説明は省略する。
【０１１９】
以上、本発明の一実施形態を説明したが、本発明は上記実施形態に限定されることはない。例えば、ＦＡＸ回線Ａ〜Ｃと第１〜第３のメモリ差込口２０〜２２を関連付けることにより、ＦＡＸ回線Ａ〜ＣとＵＳＢメモリ３２０〜３２２とを関連付けるものとしたが、例えばＵＳＢメモリ３２０〜３２２にＦＡＸ回線Ａ〜Ｃに対応する回線番号を記憶させておき、ＭＦＰ１がこれを読み取ることにより、ＦＡＸ回線Ａ〜ＣとＵＳＢメモリ３２０〜３２２とを関連付けるものとしても良い。
【０１２０】
また、上記実施形態では、外部記憶装置３２０〜３２２としてＵＳＢメモリを例にして説明したが、可搬性ハードディスク装置、光ディスク、メモリカード等の外部記憶装置についても適用可能である。
【図面の簡単な説明】
【０１２１】
【図１】この発明の一実施形態に係るジョブ実行装置が適用されたＭＦＰの外観斜視図である。
【図２】同じくＭＦＰのネットワーク環境を示すブロック図である。
【図３】同じくＭＦＰの電気的構成を示すブロック図である。
【図４】操作パネルの表示画面の説明図である。
【図５】外部記憶装置の記憶情報を読み込む際のユーザ確認画面である。
【図６】同じく外部記憶装置の記憶情報をユーザが選択する際の画面である。
【図７】ＦＡＸ受信処理の内容を説明するための説明図である。
【図８】図７のＦＡＸ受信処理の内容を示すフローチャートである。
【図９】他のＦＡＸ受信処理の内容を説明するための説明図である。
【図１０】図９のＦＡＸ受信処理の内容を示すフローチャートである。
【図１１】さらに他のＦＡＸ受信処理の内容を説明するための説明図である。
【図１２】図１１のＦＡＸ受信処理の内容を示すフローチャートである。
【符号の説明】
【０１２２】
１０              操作パネル
１２              ディスプレイ（表示手段）
２０〜２２        ＵＳＢ差込口（接続手段）
３１１            制御装置
３１１ａ          接続検知部
３１１ｂ          回線特定部
３１１ｃ          識別情報検出部
３１１ｄ          判断部
３１１ｇ          データ読み込み部
３１１ｈ          データ書き込み部
３１２            記憶部
３１３            画像メモリ
３２０〜３２２    ＵＳＢメモリ（外部記憶装置）
３０２            ＦＡＸ部
３０３            通信制御部
１４              プリンタ部
Ａ〜Ｃ            ＦＡＸ回線
【図１】
2006229451.tif 000003
【図２】
2006229451.tif 000004
【図３】
2006229451.tif 000005
【図４】
2006229451.tif 000006
【図５】
2006229451.tif 000007
【図６】
2006229451.tif 000008
【図７】
2006229451.tif 000009
【図８】
2006229451.tif 000010
【図９】
2006229451.tif 000011
【図１０】
2006229451.tif 000012
【図１１】
2006229451.tif 000013
【図１２】
2006229451.tif 000014